(57)【特許請求の範囲】
【請求項１】
ホワイトウォーターリバーであって、川床の上部入口（２）と下部出口（３）との間で水流（１２）を導入可能な川床（１）を有し、川床の上部入口（２）に水流（１２）を導入するための給水手段（４）を有する、ホワイトウォーターリバーにおいて、
‐川床（１）は、互いに隣接して個々の接触面（６５、６６、６８、６９、７１、７２、７３、７５、７６、７７、７８）に沿って組み立てられる一連の単位川床モジュール（６ａ、６ｂ、６ｃ、６ｄ、６ｅ、６ｆ、９ａ）から形成され、
‐単位川床モジュール（６ａ、６ｂ、６ｃ、６ｄ、９ａ）は、トラス状のモジュラー支  持構造（１６）により下面（６１、９１）に沿って支持され、
‐単位川床モジュール（６ａ、６ｂ、９ａ）が、水流（１２）を導入する上面（６２、９２）に通じるブラインドホール（１３、１４、１５）を有しており、
‐障害物部材（１００）が、固定ロッド（１００ｂ）に係合される障害物本体（１００ａ）を有し、固定ロッド（１００ｂ）が、単位川床モジュール（６ａ、６ｂ、９ａ）のブラインドホール（１３、１４、１５）の１つに僅かな遊びを伴って選択的に係合可能にされている、
ことを特徴とする、ホワイトウォーターリバー。
【請求項２】
単位川床モジュール（６ａ、６ｂ、６ｃ、６ｄ、６ｅ、６ｆ、９ａ）は、プラスチック材料を主成分とする成形部材であることを特徴とする、請求項１に記載のホワイトウォーターリバー。
【請求項３】
ブラインドホール（１３、１４、１５）と固定ロッドとを相互に合わせることで、単位川床モジュールのどのブラインドホール（１３、１４、１５）にも障害物部材（１００）を自在に配置可能であることを特徴とする、請求項１又は２に記載のホワイトウォーターリバー。
【請求項４】
トラス状のモジュラー支持構造（１６）が、
‐路面に据え付け可能な荷重配分底板（１７）を組み合わせた下部部材と、
‐単位川床モジュール（６ａ、６ｂ、６ｃ、６ｄ、６ｅ、６ｆ、９ａ）の下面（６１、９１）の下に配分される上部梁（１８）と、
‐上部梁（１８）に荷重配分底板（１７）を結合するトラス状構造（１９）と、
を有していることを特徴とする、請求項１から３のいずれか一項に記載のホワイトウォーターリバー。
【請求項５】
トラス状構造（１９）が、高さ調節用の伸縮式直立材（２０）を有していることを特徴とする、請求項４に記載のホワイトウォーターリバー。
【請求項６】
‐川床の上部入口（２）の、供給水を受容する上部タンク（５）と、
‐川床の上部入口（２）の高さ（Ｈ１）と川床の下部出口（３）の高さ（Ｈ３）との間の中間高さ（Ｈ２）に配置される中間タンク（８）に上部タンク（５）を接続する、一般に互いに平行で互いに離隔された、川床の２個の側面分枝（６、７）と、
‐川床の２個の側面分枝（６、７）の間で、川床の下部出口（３）を形成する下部タンク（１０）に中間タンク（８）を結合する、川床の中央分枝（９）と、
を有していることを特徴とする、請求項１から５のいずれか一項に記載のホワイトウォーターリバー。
【請求項７】
川床の中央分枝（９）は、川床の側面分枝（６、７）の幅（Ｌ２）を上回る幅（Ｌ３）を有していることを特徴とする、請求項６に記載のホワイトウォーターリバー。
【請求項８】
単位川床モジュール（６ａ、６ｂ、９ａ）は、川床（１）の全幅を占有する区間を各々が形成し、単位川床モジュールの縦の長さは２．５ｍ以下である、
ことを特徴とする、請求項１から７のいずれか一項に記載のホワイトウォーターリバー。
【請求項９】
単位川床モジュール（６ａ、６ｂ、９ａ）の各々が、対向する２つの横方向接触面（６５、６６、６８、６９）により画定され、また、シール手段（６７）を有し、組み立てた状態でホワイトウォーターリバーの川床区間を形成し、隣接する単位川床モジュール（６ａ、６ｂ）の個々の横方向接触面の間の接合部の防水性を確保することを特徴とする、請求項８に記載のホワイトウォーターリバー。
【請求項１０】
各々の単位川床モジュール（６ａ、６ｂ、９ａ）が、単位川床モジュールの各種形状群の中から選択された形状を有し、前記単位川床モジュールの各種形状群が、少なくとも１つの側面分枝の単位川床モジュール（６ａ）の形状と、少なくとも１つの中央分枝の単位川床モジュール（９ａ）の形状とを有することを特徴とする、請求項８または９のいずれか一項に記載のホワイトウォーターリバー。
【請求項１１】
側面分枝の単位川床モジュールの形状は、互いに平行な横方向接触面（６５、６６）を有する少なくとも１つの直線単位モジュール（６ａ）の形状と、互いに角度をつけられた横方向接触面（６８、６９）を有する湾曲単位モジュール（６ｂ）の形状とを有することを特徴とする、請求項１０に記載のホワイトウォーターリバー。
【請求項１２】
単位川床モジュールは、対向する２個の横方向接触面（７１、７２）と、長手方向の接触面（７３）とにより画定される下方の分枝（７０）と、対向する２個の横方向接触面（７５、７６）により画定される側面分枝（７４）とを有し、川床（１）の半幅の全部または一部を占有するＬ字型横断面の、側面の単位川床モジュール（６ｃ、６ｄ、６ｅ、６ｆ）を有することを特徴とする、請求項１から７のいずれか一項に記載のホワイトウォーターリバー。
【請求項１３】
側面の単位川床モジュール（６ｃ、６ｄ、６ｅ、６ｆ）は、互いに平行な横方向接触面（７１、７２）を有する直線状の側面単位モジュール（６ｃ、６ｄ）と、互いに角度をつけられた横方向接触面（７７、７８）を有する湾曲した側面単位モジュール（６ｅ）とを有することを特徴とする、請求項１２に記載のホワイトウォーターリバー。
【請求項１４】
弾性的に圧縮可能な材料からなるシールモジュール（８０）が、隣接する単位川床モジュール（６ｅ、６ｆ）の接触面の間に配置されている、
ことを特徴とする、請求項１２または１３のいずれか一項に記載のホワイトウォーターリバー。
【発明の詳細な説明】
【技術分野】
【０００１】
本発明は、自然または人工のホワイトウォーターリバーを使用し、愛好家のトレーニングと競技の開催とを可能にするカヌー、カヤックまたはラフティング等の水上アクティビティおよびスポーツに関する。
【背景技術】
【０００２】
カヌー、カヤックまたはラフティング等の水上スポーツは従来、自然の川床に所定のコースを画定するように、必要に応じて自然の川を整備して実施することができる。これは、整備の必要性はあまりないが、場所は、川の地理的な状況によって不可避的に決定される。
【０００３】
それに代わるものとして、人工の水路に川の流れの一部を分岐して、あるいは貯水池から水をくみ上げて得られる人工河川が設けられている。たとえば、オリンピック競技専用の用地にホワイトウォーターの競技場を設けることが可能である。この場合、川床は、適切な形状の盛り土に流し込まれたコンクリートで構成され、その結果、建設および据え付け費用が非常にかさむ。これらのホワイトウォーターの競技場を後日使用することはそれほどないので、このような非常に高い出費は一般には行き過ぎたものとみなされている。
【０００４】
さらに、特許文献１では、すでに、ホワイトウォーターの水上コースの整備方法と装置が記載されており、これは、川床に、この川床の上面に通じる複数の穴を設け、障害物本体と穴の１つに入る固定ロッドとをそれぞれ設けた障害物部材を川床に配置することからなる。
【０００５】
しかし、今日まで、公知の人工河川またはホワイトウォーター競技場の場合、建設されたインフラを後で移動することができないので、その建設費用は非常に高いものである。
【先行技術文献】
【特許文献】
【０００６】
【特許文献１】欧州特許第０５６９４９９号Ｂ１
【発明の概要】
【発明が解決しようとする課題】
【０００７】
本発明が提案する課題は、ホワイトウォーターリバーの建設据え付け費用を著しく削減し、ホワイトウォーターリバーの後日の分解、別の用地への搬送、および、この別の用地での後日の使用のための取り付けを同時に可能にする手段を考案することにある。
【０００８】
本発明は、さらに、川床の形状と障害物の形状を容易に修正可能にすることをめざしている。
【課題を解決するための手段】
【０００９】
これらの目的ならびに他の目的を達成するために、本発明は、川床の上部入口と川床の下部出口との間で水流をガイド可能な川床を含み、また、川床の上部入口に水流を挿入するための給水手段を含む、ホワイトウォーターリバーを提案する。
【００１０】
本発明によれば、
【００１１】
川床は、互いに隣接して個々の接触面に沿って組み立てられる一連の単位川床モジュールから形成される。
【００１２】
‐単位川床モジュールは、トラス状のモジュラー支持構造により下面に沿って支持される。
【００１３】
川床と支持構造とのモジュラー構造によって、生産コストが安いプレハブ式の単位川床モジュールからホワイトウォーターリバーを形成し、単位川床モジュールと支持構造の諸部材とを生産地点から使用地まで搬送し、また、単位川床モジュールと支持構造とを使用地で安価に組み立てることができる。
【００１４】
使用地で使った後はホワイトウォーターリバーを分解し、単位川床モジュールと支持構造の諸部材とを使用地から後日の使用地まで搬送し、後日の使用地ではホワイトウォーターリバーを別の用途のために再び組み立てることもできる。
【００１５】
単位川床モジュールの利点は、プラスチック材料、たとえばポリエチレンまたはポリエステル等のプラスチック材料を主成分とした成型部品とすることができる点である。
【００１６】
実際には、プラスチック材料は、必要な場合にはその機械強度を増すためにガラスファイバーまたは他の材料を充填することができる。
【００１７】
単位川床モジュールは、複数の材料から構成してもよいし、あるいはモノブロックの材料から構成してもよい。複数の材料から構成される場合、たとえば３個の部品または２個の部品から構成可能である。３個の部品から構成される場合、これらはたとえば、対向する２個の横方向接触面と、対向する２個の長手方向接触面とにより画定される下方の分枝を含み、さらに、対向する２個の横方向接触面により画定される２個の側面分枝を含み、さらに、下方の分枝の長手方向接触面の一方に対向して、表面に沿った長手方向の１つの接触エリアを含んでいる。本発明の別の実施形態では、下方の分枝は、単に、長手方向の接触面と、表面に沿った１つの接触エリアとだけを有し、該下方の分枝は、２個の側面分枝の長手方向接触面に対向し、該側面分枝は、対向する２個の横方向接触面によりさらに画定されている。本発明の別の１つの実施形態では、下方の分枝が、表面に沿って対向する長手方向の２個の接触エリアを有し、これらのエリアが、２個の側面分枝の２個の長手方向接触面に対向し、該側面分枝は、さらに、対向する２個の横方向接触面により画定されている。
【００１８】
利点として、さらに、以下のように構成可能である：
【００１９】
‐単位川床モジュールは、水流をガイドする上面に通じるブラインドホールを設けている。
【００２０】
‐障害物部材は、障害物本体が係合されるよう固定ロッドが設けてられており、固定ロッドは、単位川床モジュールのブラインドホールの１つに僅かな遊びを伴って選択的に係合可能である。
【００２１】
したがって、ホワイトウォーターのコースを適宜に随意に変更するために、川床に障害物部材を配置可能である。
【００２２】
実際には、ブラインドホールと固定ロッドとを相互に合わせることで、単位川床モジュールのどのブラインドホールに対しても障害物部材を自由に位置決めできるように構成することが利点となる。
【００２３】
そのため、たとえば１つの試合の連続する複数の競技の間でホワイトウォーターコースの変更が容易になる。
【００２４】
このようなブラインドホールに障害物を設ける手段と貫通ロッドとを例として記載する。
【００２５】
本発明の範囲を逸脱することなく、着脱式で交換可能な他の障害物を設ける手段も使用可能である。
【００２６】
さらに、トラス状のモジュラー支持構造が、
【００２７】
‐路面に据え付け可能な荷重配分底板を組み合わせた下部部材と、
【００２８】
‐単位川床モジュールの下面の下に配される上部梁と、
【００２９】
‐上部梁に荷重配分底板を結合するトラス状構造と、
を設けた点は、利点となる。
【００３０】
このような構成により、ほぼ平面である路面の構成面を容易に組み立てることができ、単位川床モジュールを規則正しく確実に支えることできる。
【００３１】
場合によっては、水平でも平面でもない路面に対し構造体の取り付けをさらに容易にするとともに、川床の高さ調節を確実に行えるように、トラス状の構造として、高さ調節用の伸縮式直立材を設けることができる点は、利点である。
【００３２】
ホワイトウォーター競技場を構成するのに適した１つの実施形態によれば、本発明によるホワイトウォーターリバーは、以下を設けることができる：
【００３３】
‐川床の上部入口の、供給水を受容する上部タンクと、
【００３４】
‐川床の上部入口の高さと川床の下部出口の高さとの間の中間高さに配置される中間タンクに上部タンクを接続する、一般に互いに平行で互いに離隔された川床の２個の側面分枝と、
【００３５】
‐川床の２個の側面分枝の間で、川床の下部出口を形成する下部タンクに中間タンクを結合する、川床の中央分枝と、
を設けている。
【００３６】
したがって、この組立完成した物の全周に観客を配置可能であり、該観客は、練習または競技のを十分に展望することができる。上方のタンクは、川床の２個の側面分枝に対して流量を配分するエリアとしての役割と給水用の整流壁の役割を果たす。中間タンクは、川床の側面分枝が合流した時のエネルギー散逸装置の役割を果たすとともに川床の中央分枝に給水する。下方のタンクは、到着エリア、川床の中央分枝用の水流緩和エリア、ユーザ用の桟橋として、また、ポンプ等の給水手段のための補助タンクとして主に使用される。
【００３７】
実際には、川床の中央分枝は、川床の側面分枝の幅を上回る幅を有することができる。したがって、平行なコースの競技を考案可能であり、二人の競技者は同時に個々の川床側面分枝に入り、中間タンクで合流し、その後、下方のタンクまで川床の中央分枝を並んで走破する。
【００３８】
第１の実施形態によれば、単位川床モジュールは、川床の全幅を占有する区間を各々が構成し、その長さは、道路輸送車両で許容された最大幅以下である。実際には、この長さは２．５０ｍ以下であり、欧州の陸上車両寸法規格に適合する長さである。
【００３９】
したがって、単位川床モジュールは、道路輸送車両で搬送可能であり、単位川床モジュールの幅寸法が道路車両の縦の長さにくるように、また、単位川床モジュールの縦の長さが道路車両の幅に沿っておかれるように配置される。
【００４０】
この第１の実施形態では、連続する単位川床モジュールが個々の横方向接触面に沿って組み立てられる。
【００４１】
各々の単位川床モジュールは、一般には平面である２個の対向する横方向接触面により画定可能であるとともに、シール手段を設けることができ、それによって、組み立てた状態でホワイトウォーターリバーの川床区間を構成する隣接する単位川床モジュールの、個々の横方向接触面の間の接合部の防水性を確保することができる点は利点となる。
【００４２】
横方向接触面の平面形状は、単位川床モジュールをモジュール毎に容易に交換でき、これによって組立が簡素化され、川床の形状を変化させることができる。
【００４３】
横方向接触面に組み込まれるシール手段は、同様に、ホワイトウォーターリバーを建設するための組立と、ホワイトウォーターリバーを分解して後日別の使用地に搬送するための撤去とを容易にする。
【００４４】
川床の形状の変更をさらに容易にするために、各々の単位川床モジュールは単位川床モジュールの各種形状群の中から選択された一つの形状を有する構成にすることができ、上記単位川床モジュールの各種形状群は、少なくとも１つの側面分枝の単位川床モジュールの形状と、少なくとも１つの中央分枝の単位川床モジュールの形状とを有する。
【００４５】
単位川床モジュールの形状が限られた数であることから、金型の製造コストが下がり、ホワイトウォーターリバーの形成に必要な単位川床モジュールの製造に同一の金型を複数回使用することができる。
【００４６】
実際には、湾曲部と直線部分とを含む非線形の形状を川床の側面分枝に設けることが望ましい。そのためには、側面分枝の単位川床モジュールの形状は、横方向接触面が互いに平行な少なくとも１つの直線状の単位モジュールの形状と、横方向接触面が互いに角度をつけられた湾曲した単位モジュールの形状とを設ける必要がある。湾曲部は横方向および／または垂直方向とすることができる点に留意されたい。
【００４７】
第２の実施形態によれば、単位川床モジュールを多数の部材から形成可能であり、対向する２つの横方向接触面と、長手方向の１つの接触面とにより画定される下方の分枝と、対向する２個の横方向接触面により画定される１つの側面分枝とを有し、川床の半幅の全部または一部を占有するＬ字型横断面の側面の単位川床モジュールを有するように構成可能である。
【００４８】
したがって、さらに小さい容積を有する単位川床モジュールを設計可能であり、これによって、金型の製造費用を下げることができ、また、取扱いを容易にするために各々の単位川床モジュールの重量を減らすことができる。
【００４９】
この第２の実施形態は、側面の単位川床モジュールが、互いに平行な横方向接触面を有する直線状の側面単位モジュールと、互いに角度をつけられた横方向接触面を有する湾曲した側面単位モジュールとに構成を設けることができる点で利点である。
【００５０】
側面単位モジュールのこれらの異なる形状によって、川床の直線状の区間と湾曲区間とを形成することができる。
【００５１】
第３の実施形態では、単位川床モジュールを多数の部材から構成させることができ、３個の部品すなわち、上記のような１つの下方分枝と２つの側面分枝とを設けた構成にすることができる。
【００５２】
上記の実施形態のいずれにおいても、弾性的に圧縮可能な材料からなるシール部材が、隣接する単位川床モジュールの接触面および／または接触エリアの間に配置されるように構成可能であり、隣接する単位川床モジュール間のシールを確実に行い、隣接する単位川床モジュール間の配置変更ができる点は、利点である。
【００５３】
本発明の他の目的、特徴および長所は、以下の添付図面で示された個別の実施形態の説明から明らかにされる。
【図面の簡単な説明】
【００５４】
【図１】ホワイトウォーター競技場タイプの、本発明の１つの実施形態によるホワイトウォーターリバーを示す上面図である。
【図２】図１のホワイトウォーターリバーの側面概略図である。
【図３】図１のホワイトウォーターリバーの垂直面Ａ−Ａに沿った部分横断面図である。
【図４】川床の側面分枝用に構成された第１の実施形態による連続する２つの単位川床モジュールの組立を示す上面図である。
【図５】この第１の実施形態による、シール手段を備えた単位川床モジュールを示す正面図である。
【図６】図１のホワイトウォーターリバーの垂直面Ｂ−Ｂに沿った部分横断面図である。
【図７】川床の側面分枝用に構成された第２の実施形態による連続する複数の単位川床モジュールを示す概略的な斜視図である。
【発明を実施するための形態】
【００５５】
図１と図２に示された実施形態では、本発明によるホワイトウォーターリバーが、川床の上部入口２と川床の下部出口３との間で水流１２を導入可能な川床１を設けており、また、川床の上部入口２に水流１２を導入するための給水手段４を設けている。
【００５６】
図１と図２に示された実施形態では、川床１が、川床の上部入口２に、供給水を受容する上部タンク５を設けている。上部タンク５は、一般に互いに平行で互いに離隔された２個の川床側面分枝６と７に接続される。各々の川床側面分枝６と７は、上部タンク５の側面の一端を中間タンク８の個々の側面の一端に接続し、該中間タンクは、それ自体がその中央部分に沿って川床中央分枝９に接続されている。川床中央分枝９は、中間タンク８を、川床の下部出口３を形成する下部タンク１０の中央部分に接続している。上部タンク５は、下部タンク１０の上で中間タンク８から距離Ｌ１のところに配置されている。各々の川床側面分枝６と７は、中間幅Ｌ２を有し、その一方で、川床の中央分枝９は、川床側面分枝６と７の平均幅Ｌ２を上回る平均幅Ｌ３を有する。
【００５７】
図２を考慮すると、中間タンク８は、川床の上部入口２を形成する上部タンク５の高い方の高さＨ１と、川床の下部出口３を形成する下部タンク５の低い方向の高さＨ３との間の中間高さＨ２に配置される。
【００５８】
図１と図２に示されたこのようなホワイトウォーターリバーは、特に、多角形の輪郭１１により画定されるホワイトウォーターリバーの競技場を構成するのに適しており、この輪郭の周囲に観客を配置可能であり、すべての観客がホワイトウォーターリバーのコースで行われるイベントにおいて良好な視界を得られる。
【００５９】
例として、ホワイトウォーターリバーのコースに以下の寸法を設けることができる：Ｈ１＝５ｍ；Ｈ２＝２ｍ；Ｈ３＝０ｍ；Ｌ１＝５０ｍ；Ｌ２＝２．５０ｍ；Ｌ３＝６ｍ。同時に水流１２を５〜６ｍ３／秒にすることができる。
【００６０】
川床側面分枝６に沿って川床を横断面で示す図３を考慮すると、水流１２が、第１の実施形態によれば、上向きに開かれたほぼＵ字型の単位川床モジュール６ａでガイドされていることが分かる。単位川床モジュール６ａは、下面６１が平面で上面６２が穴１３、１４、１５等のブラインドホールを設けられた底壁６０が設けられている。底壁６０は、２個の側壁６３、６４に接続されている。
【００６１】
ブラインドホール１３、１４、１５は、それぞれが、着脱式の障害物部材１００を選択的に固定することができる。このような障害物部材１００は、固定ロッド１００ｂに係合される障害物本体１００ａを有し、固定ロッド１００ｂは、単位川床モジュール６ａのブラインドホール１３、１４または１５に僅かな隙間を伴って選択的に係合可能である。
【００６２】
単位川床モジュール６ａは、トラス状のモジュラー支持構造１６によりその下面６１で支持される。トラス状のモジュラー支持構造１６は、路面に据え付け可能な荷重配分底板１７を組み合わせた下部部材を含んでいる。トラス状のモジュラー支持構造１６は、さらに、川床側面分枝６の長さ方向に配向された上部梁１８を含み、上部梁は、単位川床モジュール６ａの下面６１の下に配分されている。トラス状の構造１９は、荷重配分底板１７を上部梁１８に結合する。
【００６３】
伸縮式の直立材２０は、単位川床モジュール６ａの高さを調節するために、トラス状構造１９の高さ調節をすることができる。
【００６４】
図１に概略的に示したように、たとえば川床側面分枝６にある川床１は、互いに次々に隣接して、個々の横方向接触面に沿って組み立てられる、一連の単位川床モジュールから形成される。たとえば、上から見て互いに隣接する２個の単位川床モジュール６ａと６ｂが区別される。
【００６５】
次に、より詳しく説明するために、第１の実施形態による単位川床モジュール６ａ、６ｂを拡大して示す図４を参照する。単位川床モジュール６ａは、一般には平面で互いに対向する２つの横方向接触面６５と６６により画定される。
【００６６】
図５は、この同じ単位川床モジュール６ａの正面図であり、その横方向接触面６６では、たとえば図４に示したようにホワイトウォーターリバーを形成するために組み立てたときに隣接する２個の川床モジュールの、個々の横断面の間の接合部の防水性を確保するシール手段６７が見分けられる。
【００６７】
シール手段６７は、たとえば、側面壁６３、６４の上部エリアを結合する連続溝から構成可能であり、そこには２個の単位川床モジュール６ａ、６ｂが互いに当接されたとき圧縮シールを形成する弾性材料のリムが係合される。
【００６８】
再び図４を参照すると、単位川床モジュール６ａを上から見ると一般に長方形であり、すなわち、その横方向接触面６５と６６が互いに平行であることが分かる。このような単位川床モジュール６ａは、直線状の単位モジュールであり、すなわち、川床の直線状の区間を構成するのに適している。それに対して、単位川床モジュール６ｂは、互いに角度を付けられた横断面６８と６９を含み、すなわち、これらの横断面は、平行ではないが互いにゼロではない角度Ｃを形成する。このような単位川床モジュール６ｂは、湾曲した単位モジュールであり、すなわち、川床の湾曲区間を構成するのに適している。
【００６９】
次に、図１の川床の中央分枝９の横断面図である図６を参照する。川床の側面分枝６と７のために構成したものと同様に、この第１の実施形態による川床の中央分枝９は、モジュール９ａ等の一連の単位川床モジュールから構成されている。この単位川床モジュール９ａは、平らな下面９１と上面９２とを有する底壁９０を有するとともに、２個の側壁９３、９４を有し、全体が、水流１２をガイドするために上向きに開かれたＵ字型構造を形成する。同様に、図示されているように、上面９２に通じるブラインドホールが同じく設けられ、着脱式で交換可能な障害物部材１００をブラインドホールに固定することができる。
【００７０】
同様に、図６では、荷重配分底板１７、上部梁１８、トラス状構造１９および高さ調節用の伸縮式直立材２０を有するトラス状のモジュラー支持構造１６が示されている。
【００７１】
再び図１と２を参照すると、図示された実施形態では、さらに、２個の川床側面分枝６と７の入口付近で出発プラットフォーム２３から上部タンク５までそれぞれ下降する２個の出発スライダー２１、２２として区別できる。
【００７２】
次に、図７に概略的に示された第２の実施形態を考慮する。
【００７３】
この第２の実施形態では、単位川床モジュールが、Ｌ字型の輪郭を有する川床の側面単位モジュールを有している。たとえば、川床の側面単位モジュール６ｃは、対向する２個の横方向接触面７１、７２と長手方向の１つの接触面７３とにより画定される下方の分枝７０を含むとともに、対向する２個の横方向接触面７５、７６により画定される１つの側面分枝７４を有している。川床の側面単位モジュール６ｃは、形成すべき川床の幅の半分の全部または一部を占有する。
【００７４】
図７では、対称に配置された同じ２個の川床の側面単位モジュール６ｃと６ｄの組立によって、１つの川床区間を構成可能であり、各々の川床の側面単位モジュール６ｃと６ｄが川床の半分の幅を占有している。
【００７５】
さらに、このように構成された川床の幅を任意に変更するために、川底の側面単位モジュール６ｃ、６ｄの長手方向接触面７３の間に平行六面体の離隔モジュールを介在させることができる。
【００７６】
互いに平行な横方向接触面７１、７２を含む川床の側面単位モジュール６ｃと６ｄは、川床の直線状区間を構成可能な直線状の側面単位モジュールである。
【００７７】
この第２の実施形態では、川床の湾曲区間は、横方向接触面７７と７８が互いに角度を付けられた、モジュール６ｅ等の湾曲した側面単位モジュールを用いて構成可能である。
【００７８】
図７では、さらに、様々な単位川床モジュールのシール手段のための別の実施形態を示した。シール手段のこの別の実施形態は、上記の単位川床モジュールの実施形態のいずれかで使用可能である。
【００７９】
この場合、隣接する単位川床モジュール６ｅと６ｆの接触面の間に配置された弾性的に圧縮可能な材料からなるシールモジュール８０によって防水性が確保される。シールモジュール８０は、圧縮によって、隣接する単位川床モジュール６ｅと６ｆの間の防水性を確保し、該シールモジュールは、さらに、防水性を失わずに隣接する単位川床モジュール６ｅと６ｆの間の配置変更を可能にするという長所を有する。原則として、シールモジュール８０は、厚みが薄い方が有利である。特に、例としての概略図７に示されたものよりも相対的に薄い厚みを有することができる。隣接する単位川床モジュール６ｅと６ｆの接触面は、水の重量の作用でシールモジュール８０が垂直に移動しないような構造にされている。
【００８０】
本発明は、上記の実施形態に制限されるものではなく、後述する請求の範囲に含まれる様々な変形および一般化を含むものである。
【図１】
0006557781.tif 000002
【図２】
0006557781.tif 000003
【図３】
0006557781.tif 000004
【図４】
0006557781.tif 000005
【図５】
0006557781.tif 000006
【図６】
0006557781.tif 000007
【図７】
0006557781.tif 000008